(57)【要約】【課題】不完全燃焼ガスを確実に検出することができる不完全燃焼検知機能付ガス漏れ警報器を提供すること。【解決手段】ＬＰガスセンサ５からのセンサ出力で検出したＬＰガス濃度が記憶手段７に記憶されているＬＰガス警報判定濃度以上になったか否かを判定するＬＰガス漏れ判定手段３ａと、ＬＰガス濃度がＬＰガス警報判定濃度以上になったと判定された場合に、ＬＰガス漏れ警報を報知するＬＰガス漏れ警報手段８ａと、不完全燃焼ガスセンサ６からのセンサ出力で検出した不完全燃焼ガス濃度が不完全燃焼警報判定濃度以上になったか否かを判定する不完全燃焼判定手段４ａと、不完全燃焼ガス濃度が不完全燃焼警報判定濃度以上になったと判定された場合に、不完全燃焼警報を報知する不完全燃焼警報手段８ｂとを有する不完全燃焼検知機能付ガス漏れ警報器１であって、周囲のガスを拡散させるためのガス拡散手段９を備えている。【選択図】図１
2008234161.tif 000002
【特許請求の範囲】
【請求項１】
ＬＰガスセンサからのセンサ出力に基づいて検出したＬＰガス濃度が記憶手段に記憶されているＬＰガス警報判定濃度以上になったか否かを判定するＬＰガス漏れ判定手段と、前記ＬＰガス漏れ判定手段でＬＰガス濃度がＬＰガス警報判定濃度以上になったと判定された場合に、ＬＰガス漏れ警報を報知するＬＰガス漏れ警報手段と、不完全燃焼ガスセンサからのセンサ出力に基づいて検出した不完全燃焼ガス濃度が前記記憶手段に記憶されている不完全燃焼警報判定濃度以上になったか否かを判定する不完全燃焼判定手段と、前記不完全燃焼判定手段で不完全燃焼ガス濃度が不完全燃焼警報判定濃度以上になったと判定された場合に、不完全燃焼警報を報知する不完全燃焼警報手段とを有する不完全燃焼検知機能付ガス漏れ警報器であって、
周囲のガスを拡散させるためのガス拡散手段を備えていることを特徴とする不完全燃焼検知機能付ガス漏れ警報器。
【請求項２】
請求項１記載の不完全燃焼検知機能付ガス漏れ警報器において、
前記不完全燃焼ガスセンサからのセンサ出力に基づいて検出した不完全燃焼ガス濃度が、前記不完全燃焼警報判定濃度より低く設定され前記記憶手段に記憶された拡散手段駆動用不完全燃焼判定濃度以上になったか否かを判定する第１の拡散手段駆動判定手段をさらに備え、
前記ガス拡散手段は、前記第１の拡散手段駆動判定手段で不完全燃焼ガス濃度が拡散手段駆動用不完全燃焼判定濃度以上になったと判定された場合に駆動開始されることを特徴とする不完全燃焼検知機能付ガス漏れ警報器。
【請求項３】
請求項２記載の不完全燃焼検知機能付ガス漏れ警報器において、
前記ＬＰガスセンサからのセンサ出力に基づいて検出したＬＰガス濃度が、前記ＬＰガス警報判定濃度より低く設定され前記記憶手段に記憶された拡散手段駆動用ＬＰガス判定濃度以上になったか否かを判定する第２の拡散手段駆動判定手段をさらに備え、
前記ガス拡散手段は、前記第２の拡散手段駆動判定手段でＬＰガス濃度が拡散手段駆動用ＬＰガス判定濃度以上になったと判定された場合にも駆動開始されることを特徴とする不完全燃焼検知機能付ガス漏れ警報器。
【請求項４】
請求項２または３記載の不完全燃焼検知機能付ガス漏れ警報器において、
前記ガス拡散手段は、前記ＬＰガス漏れ判定手段でＬＰガス濃度がＬＰガス警報判定濃度以上になったと判定された場合に、駆動停止されることを特徴とする不完全燃焼検知機能付ガス漏れ警報器。
【請求項５】
請求項２記載の不完全燃焼検知機能付ガス漏れ警報器において、
ガスメータからのガス流量有りを表す流量判定信号を受信する受信手段をさらに備え、
前記ガス拡散手段は、前記受信手段で、前記流量判定信号を受信した場合にも駆動開始されることを特徴とする不完全燃焼検知機能付ガス漏れ警報器。
【発明の詳細な説明】
【技術分野】
【０００１】
本発明は、不完全燃焼検知機能付ガス漏れ警報器に関するものである。
【背景技術】
【０００２】
一般家庭で発生する不完全燃焼事故は、室内に設置された給湯器等で発生する不完全燃焼ガスに起因していることが多く、不完全燃焼時には、燃焼排ガスの熱により、中毒原因となる一酸化炭素ガスも天井付近に偏在し易い。したがって、不完全燃焼警報器の設置位置に関しては、天井から３０ｃｍ以内であることがガス警報器工業会の設置マニュアル等にて推奨されている。都市ガス市場に関しては、都市ガスのガス漏れが発生した場合、漏れた都市ガスも天井付近に偏在することになるので、都市ガスを検出してガス漏れ警報を行う都市ガス警報器と不完全燃焼警報器の設置位置が同じであることもあり、不完全燃焼検知機能付都市ガス警報器の普及率が非常に高い。
【０００３】
一方、ＬＰガス（液化石油ガス）のガス漏れを検出してガス漏れ警報を行うＬＰガス漏れ警報器が提案されている（たとえば、特許文献１参照。）。このＬＰガス漏れ警報器は、ＬＰガスのガス漏れが発生した場合、漏れたＬＰガスが床面付近に偏在することになるので、床面に近い場所（床面から高さ３０ｃｍ以内）に設置されるものである。
【特許文献１】特開２００５−１５７４１７号公報
【発明の開示】
【発明が解決しようとする課題】
【０００４】
しかしながら、ＬＰガス市場においては、不完全燃焼警報器とＬＰガス漏れ警報器との設置位置が異なることも起因し、不完全燃焼検知機能付ガス漏れ警報器は、ほとんど普及しておらず、万が一の場合の不完全燃焼事故防止がＬＰガス業界では遅れているのが現状である。
【０００５】
そこで本発明は、上述した課題に鑑み、不完全燃焼ガスを確実に検出することができる不完全燃焼検知機能付ガス漏れ警報器を提供することを目的としている。
【課題を解決するための手段】
【０００６】
上記課題を解決するためになされた請求項１記載の発明の不完全燃焼検知機能付ガス漏れ警報器は、図１の基本構成図に示すように、ＬＰガスセンサ５からのセンサ出力に基づいて検出したＬＰガス濃度が記憶手段７に記憶されているＬＰガス警報判定濃度以上になったか否かを判定するＬＰガス漏れ判定手段３ａと、前記ＬＰガス漏れ判定手段３ａでＬＰガス濃度がＬＰガス警報判定濃度以上になったと判定された場合に、ＬＰガス漏れ警報を報知するＬＰガス漏れ警報手段８ａと、不完全燃焼ガスセンサ６からのセンサ出力に基づいて検出した不完全燃焼ガス濃度が前記記憶手段７に記憶されている不完全燃焼警報判定濃度以上になったか否かを判定する不完全燃焼判定手段４ａと、前記不完全燃焼判定手段４ａで不完全燃焼ガス濃度が不完全燃焼警報判定濃度以上になったと判定された場合に、不完全燃焼警報を報知する不完全燃焼警報手段８ｂとを有する不完全燃焼検知機能付ガス漏れ警報器１であって、周囲のガスを拡散させるためのガス拡散手段９を備えていることを特徴とする。
【０００７】
請求項１記載の発明においては、不完全燃焼検知機能付ガス漏れ警報器１は、ＬＰガス漏れ判定手段３ａ、ＬＰガス漏れ警報手段８ａ、不完全燃焼判定手段４ａ、不完全燃焼警報手段８ｂを備えている。ＬＰガス漏れ判定手段３ａはＬＰガスセンサ５からのセンサ出力に基づいて検出したＬＰガス濃度が記憶手段７に記憶されているＬＰガス警報判定濃度以上になったか否かを判定し、ＬＰガス漏れ判定手段３ａでＬＰガス濃度がＬＰガス警報判定濃度以上になったと判定された場合に、ＬＰガス漏れ警報手段８ａはＬＰガス漏れ警報を報知する。不完全燃焼判定手段４ａは、不完全燃焼ガスセンサ６からのセンサ出力に基づいて検出した不完全燃焼ガス濃度が記憶手段７に記憶されている不完全燃焼警報判定濃度以上になったか否かを判定し、不完全燃焼判定手段４ａで不完全燃焼ガス濃度が不完全燃焼警報判定濃度以上になったと判定された場合に、不完全燃焼警報手段８ｂは不完全燃焼警報を報知する。このような不完全燃焼検知機能付ガス漏れ警報器１は、さらに、周囲のガスを拡散させるガス拡散手段９を備えている。それにより、不完全燃焼検知機能付ガス漏れ警報器が室内の床面付近に設置されていても、不完全燃焼により室内の天井付近に偏在する不完全燃焼ガス（一酸化炭素ガス）がガス拡散手段９で床面付近まで拡散され、不完全燃焼検知機能付ガス漏れ警報器において不完全燃焼ガスを確実に検出することができ、不完全燃焼検知機能をスムーズに行わせることができる。
【０００８】
上記課題を解決するためになされた請求項２記載の発明は、請求項１記載の不完全燃焼検知機能付ガス漏れ警報器において、前記不完全燃焼ガスセンサ６からのセンサ出力に基づいて検出した不完全燃焼ガス濃度が、前記不完全燃焼警報判定濃度より低く設定され前記記憶手段７に記憶された拡散手段駆動用不完全燃焼判定濃度以上になったか否かを判定する第１の拡散手段駆動判定手段４ｂをさらに備え、前記ガス拡散手段９は、前記第１の拡散手段駆動判定手段４ｂで不完全燃焼ガス濃度が拡散手段駆動用不完全燃焼判定濃度以上になったと判定された場合に駆動開始されることを特徴とする。
【０００９】
請求項２記載の発明においては、不完全燃焼検知機能付ガス漏れ警報器１は、不完全燃焼ガスセンサ６からのセンサ出力に基づいて検出した不完全燃焼ガス濃度が、不完全燃焼警報判定濃度より低く設定され記憶手段７に記憶された拡散手段駆動用不完全燃焼判定濃度以上になったか否かを判定する第１の拡散手段駆動判定手段４ｂをさらに備えている。ガス拡散手段９は、第１の拡散手段駆動判定手段４ｂで不完全燃焼ガス濃度が拡散手段駆動用不完全燃焼判定濃度以上になったと判定された場合に駆動開始される。それにより、警報器の消費電力を軽減させると共にガス拡散手段の寿命を長くすることができる。
【００１０】
上記課題を解決するためになされた請求項３記載の発明は、請求項２記載の不完全燃焼検知機能付ガス漏れ警報器１において、前記ＬＰガスセンサ５からのセンサ出力に基づいて検出したＬＰガス濃度が、前記ＬＰガス警報判定濃度より低く設定され前記記憶手段７に記憶された拡散手段駆動用ＬＰガス判定濃度以上になったか否かを判定する第２の拡散手段駆動判定手段３ｂをさらに備え、前記ガス拡散手段９は、前記第２の拡散手段駆動判定手段３ｂでＬＰガス濃度が拡散手段駆動用ＬＰガス判定濃度以上になったと判定された場合にも駆動開始されることを特徴とする。
【００１１】
請求項３記載の発明においては、不完全燃焼検知機能付ガス漏れ警報器１は、ＬＰガスセンサ５からのセンサ出力に基づいて検出したＬＰガス濃度が、ＬＰガス警報判定濃度より低く設定され記憶手段７に記憶された拡散手段駆動用ＬＰガス判定濃度以上になったか否かを判定する第２の拡散手段駆動判定手段３ｂをさらに備えている。ガス拡散手段９は、第２の拡散手段駆動判定手段３ｂでＬＰガス濃度が拡散手段駆動用ＬＰガス判定濃度以上になったと判定された場合にも駆動開始される。それにより、ガス漏れ警報器が、床面よりも規格上許される高い位置に設置された場合でも、漏れたＬＰガスの拡散を促し、ＬＰガス漏れ検知機能をスムーズに行わせることができる。
【００１２】
上記課題を解決するためになされた請求項４記載の発明は、請求項２または３記載の不完全燃焼検知機能付ガス漏れ警報器において、前記ガス拡散手段９は、前記ＬＰガス漏れ判定手段３ａでＬＰガス濃度がＬＰガス警報判定濃度以上になったと判定された場合に、駆動停止されることを特徴とする。
【００１３】
請求項４記載の発明においては、ガス拡散手段９は、ＬＰガス漏れ判定手段３ａでＬＰガス濃度がＬＰガス警報判定濃度以上になったと判定された場合に、駆動停止される。それにより、警報器がＬＰガス漏れ警報状態にある場合は、既に警報を行っていることおよび爆発する可能性のある雰囲気中で誘爆する可能性があることなどを考慮した安全性のある動作を行わせることができる。
【００１４】
上記課題を解決するためになされた請求項５記載の発明は、請求項２記載の不完全燃焼検知機能付ガス漏れ警報器において、ガスメータからのガス流量有りを表す流量判定信号を受信する受信手段をさらに備え、前記ガス拡散手段９は、前記受信手段で、前記流量判定信号を受信した場合にも駆動開始されることを特徴とする。
【００１５】
請求項５記載の発明においては、不完全燃焼検知機能付ガス漏れ警報器は、ガスメータからのガス流量有りを表す流量判定信号を受信する受信手段をさらに備え、ガス拡散手段９は、受信手段で、流量判定信号を受信した場合にも駆動開始される。それにより、ガス拡散手段９は、普段は停止しており、燃焼機器が使用されている可能性が高い状況になると駆動開始されるので、警報器の消費電力を軽減させると共にガス拡散手段の寿命を長くすることができる。
【発明の効果】
【００１６】
請求項１記載の発明によれば、警報器が室内の床面付近に設置されていても、不完全燃焼により室内の天井付近に偏在する不完全燃焼ガス（一酸化炭素ガス）がガス拡散手段９で床面付近まで拡散され、警報器において不完全燃焼ガスを確実に検出することができ、不完全燃焼検知機能をスムーズに行わせることができる。
【００１７】
請求項２記載の発明によれば、警報器の消費電力を軽減させると共にガス拡散手段の寿命を長くすることができる。
【００１８】
請求項３記載の発明によれば、ガス漏れ警報器が、床面よりも規格上許される高い位置に設置された場合でも、漏れたＬＰガスの拡散を促し、ＬＰガス漏れ検知機能をスムーズに行わせることができる。
【００１９】
請求項４記載の発明によれば、ガス漏れ警報器がＬＰガス漏れ警報状態にある場合は、既に警報を行っていることおよび爆発する可能性のある雰囲気中で誘爆する可能性があることなどを考慮した安全性のある動作を行わせることができる。
【００２０】
請求項５記載の発明によれば、ガス拡散手段９は、普段は停止しており、燃焼機器が使用されている可能性が高い状況になると駆動開始されるので、警報器の消費電力を軽減させると共にガス拡散手段の寿命を長くすることができる。
【発明を実施するための最良の形態】
【００２１】
以下、本発明の実施の形態について図面を参照して説明する。
【００２２】
（第１の実施形態）図２は、本発明の第１の実施形態に係る不完全燃焼検知機能付ガス漏れ警報器の構成を示すブロック図である。図２において、本発明の不完全燃焼検知機能付ガス漏れ警報器１は、電源回路２、ＬＰガス検出回路３、不完全燃焼ガス検出回路４、ＬＰガスセンサ５、一酸化炭素センサ６、記憶回路７、警報回路８およびガス拡散用ファン９から構成されている。すなわち、図２の不完全燃焼検知機能付ガス漏れ警報器１は、現在市販されている普及率の高いＬＰガス漏れ警報器に、不完全燃焼検知機能と、不完全燃焼排ガスをガス漏れ警報器が設置された床面付近まで拡散させるガス拡散用ファン９を設けた構成となっている。
【００２３】
電源回路２は、ＡＣ電源に接続され、ＡＣ電源からのＡＣ電圧を適宜な直流電圧に変換して各部に供給する。ＬＰガス検出回路３は、請求項におけるＬＰガス漏れ判定手段に相当し、警報器が設置される室内において漏洩したＬＰガスを検出する回路である。不完全燃焼ガス検出回路４は、請求項における不完全燃焼判定手段４ａおよび第１の拡散手段駆動判定手段４ｂに相当し、警報器が設置される室内において不完全燃焼ガス、すなわち一酸化炭素ガスを検出する回路である。
【００２４】
ＬＰガスセンサ５は、ＬＰガスを検出するガスセンサである。一酸化炭素センサ６は、不完全燃焼ガスとしての一酸化炭素ガスを検出する不完全燃焼ガスセンサである。ＬＰガスセンサ５および一酸化炭素センサ６としては、周知の接触燃焼式ガスセンサや半導体式ガスセンサが用いられる。ＬＰガスセンサ５および一酸化炭素センサ６は、この実施の形態では別個のセンサとしているが、ＬＰガスと一酸化炭素ガスの両方の検知ができるタイプの１個のガスセンサを使用しても良い。
【００２５】
記憶回路７は、請求項における記憶手段に相当し、たとえば、ＥＥＰＲＯＭ（Electrically Erasable and Programmable Read Only Memory ）等のメモリであり、予め定められた、ＬＰガス検出時ＬＰガス漏れ警報を行う基準となるＬＰガス警報判定濃度と、一酸化炭素ガス検出時不完全燃焼警報を行う基準となる不完全燃焼警報判定濃度と、不完全燃焼警報判定濃度より低い値に設定され、一酸化炭素ガス検出時ガス拡散用ファン９を駆動する際の基準となるファン駆動判定濃度（拡散手段駆動用不完全燃焼判定濃度）と、ＬＰガス警報判定濃度より低い値に設定され、ＬＰガス検出時ガス拡散用ファン９を駆動する際の基準となるファン駆動判定濃度（拡散手段駆動用ＬＰガス判定濃度）等の各判定値が格納されている。
【００２６】
警報回路８は、請求項におけるＬＰガス漏れ警報手段８ａおよび不完全燃焼警報手段８ｂに相当し、ＬＥＤ等の警報表示手段と、スピーカやブザー等の警報音発生手段とを含み、ＬＰガス検出回路３または不完全燃焼ガス検出回路４でＬＰガスまたは一酸化炭素ガスが検出された場合に、ＬＥＤ等による警報表示やスピーカやブザー等による音声メッセージまたは警報音によって、ＬＰガス漏れまたは不完全燃焼の報知を行う回路である。また、不完全燃焼検知機能付ガス漏れ警報器１は、図示しないが外部出力を送出して警報を行う機能も有している。なお、ＬＰガス検出回路３、不完全燃焼検出回路４および記憶回路７は、ＣＰＵ、ＲＯＭおよびＲＡＭを有するマイクロコンピュータで構成しても良い。
【００２７】
ガス拡散用ファン９は、請求項におけるガス拡散手段に相当し、警報器１に内蔵され、一酸化炭素ガスを微量に検出した場合に室内のガスを拡散させる役割を持つ小型ファンや圧電素子等の振動板である。
【００２８】
たとえば、図３に示すように、ガス拡散用ファン９は、ガス漏れ警報器１のケース１１の右下部分に内蔵され、ファン風がケース１１の前面上部に形成された導入口１１ａよりケース内部を通ってケース１１の底部に形成された導出口１１ｂからケース１１の外部へ吹き出すようにする。ＬＰガスセンサ５および一酸化炭素センサ６は、導入口１１ａ付近に配置されている。なお、ケース１１の前面には、警報回路８のスピーカ放音孔１１ｃが設けられていると共に、電源ランプ（ＬＥＤ）１２、不完全燃焼警報ランプ（ＬＥＤ）１３およびＬＰガス警報ランプ（ＬＥＤ）１４が設けられている。
【００２９】
上述の構成において、不完全燃焼検知機能付ガス漏れ警報器１は、通常待機時には、ＬＰガス漏れおよび不完全燃焼の監視を常に実施する。また、通常待機時にガス拡散用ファン９を駆動し、上方から吸込んで下方へ吹き出すファン風によって室内の雰囲気を対流させ、雰囲気中のガスを拡散させる。不完全燃焼検知機能付ガス漏れ警報器１は、ＬＰガスを検出するため、当然床面付近に設置されており、ガス拡散用ファン９がないと不完全燃焼時の一酸化炭素ガスの拡散スピードが床面設置の場合遅くなるが、ガス拡散用ファン９の駆動による拡散効果によって、一酸化炭素ガスが拡散しにくい床面付近でも不完全燃焼検知が可能となる。
【００３０】
なお、通常待機中もガス拡散用ファン９を駆動させていると、待機状態の消費電力が増加することおよびガス拡散用ファン９の寿命等も考慮し、ガスの検出と連動させてガス拡散用ファン９を駆動させても良い。すなわち、普段はガス拡散用ファン９の駆動を停止しておき、不完全燃焼ガス検出回路４は、一酸化炭素センサ６のセンサ出力により微量な一酸化炭素ガスを検出すると、自動的にガス拡散用ファン９の駆動を開始させる。
【００３１】
また、ガス漏れ警報器１がＬＰガス漏れ警報状態にある場合は、既に警報を行っていることおよび爆発する可能性のある雰囲気中で、誘爆等を考慮し、ガス拡散用ファン９は駆動させないようにする。
【００３２】
次に、上述の第１の実施形態に係る不完全燃焼検知機能付ガス漏れ警報器１の動作例を図４に示すフローチャートを参照しながら説明する。電源投入後、不完全燃焼検知機能付ガス漏れ警報器１は待機状態となり、ガス漏れおよび不完全燃焼の監視を実施している（ステップＳ１）。すなわち、待機状態においては、不完全燃焼ガス検出回路４及びＬＰガス検出回路３は、それぞれ、所定の検出タイミングで一酸化炭素ガスおよびＬＰガスの濃度検出を定期的に実行している。
【００３３】
次に、不完全燃焼ガス検出回路４は、検出された一酸化炭素ガス濃度（不完全燃焼ガス濃度）が、不完全燃焼警報判定濃度より低い値に設定され記憶回路７に記憶されているファン駆動判定濃度（拡散手段駆動用不完全燃焼判定濃度）以上になったか否かを判定する（ステップＳ３）。一酸化炭素ガス濃度がファン駆動判定濃度以上になっていなければ、次いでステップＳ１に戻る。一酸化炭素ガス濃度（不完全燃焼ガス濃度）がファン駆動判定濃度以上になっていれば、次いで、不完全燃焼ガス検出回路４からの判定結果に基づき、ＬＰガス検出回路３は、検出されたＬＰガス濃度がＬＰガス警報判定濃度以上になったか否かを判定する（ステップＳ５）。
【００３４】
検出されたＬＰガス濃度がＬＰガス警報判定濃度以上になっていなければ、次に、ＬＰガス検出回路３は、ガス拡散用ファン９の駆動を開始させる（ステップＳ１１）。具体的には、たとえば、不完全燃焼ガス検出回路４は、電源回路２からのガス拡散用ファン９への電源供給ラインに挿入されているスイッチ素子（図示しない）へ制御信号を送出してオン状態にすることにより、ガス拡散用ファン９の駆動を開始させる。そのため、ガス拡散用ファン９により導入口１１ａから導出口１１ｂを介して警報器外部へ吹き出す風によって、室内の天井付近に偏在する傾向にある一酸化炭素ガスは、床面付近に設置されている警報器の周囲へ拡散する。
【００３５】
次に、不完全燃焼ガス検出回路４は、ガス拡散用ファン９で拡散された一酸化炭素ガスを導入口１１ａから取り込み、検出された一酸化炭素ガス濃度（不完全燃焼ガス濃度）が不完全燃焼警報判定濃度以上になったか否かを判定する（ステップＳ１３）。一酸化炭素ガス濃度（不完全燃焼ガス濃度）が不完全燃焼警報判定濃度以上になっていなければ、次いでステップＳ１３に戻り、なっていれば、次いで、不完全燃焼ガス検出回路４からの判定結果に基づき、警報回路８は、ＬＥＤの警報表示およびスピーカ等による警報音でＬＰガス漏れ警報と異なる形態で不完全燃焼警報を報知する（ステップＳ１５）。
【００３６】
一方、ステップＳ５で、検出されたＬＰガス濃度がＬＰガス警報判定濃度以上になっていれば、次いで、ＬＰガス検出回路３からの判定結果に基づき、警報回路８は、ＬＥＤの警報表示およびスピーカ等による警報音でＬＰガス漏れ警報を報知する（ステップＳ７）。次に、ＬＰガス検出回路３は、ガス拡散用ファン９の駆動を停止させる（ステップＳ９）。具体的には、たとえば、ＬＰガス検出回路３は、電源回路２からのガス拡散用ファン９への電源供給ラインに挿入されているスイッチ素子（図示しない）へ制御信号を送出してオフ状態にすることにより、ガス拡散用ファン９の駆動を停止させる。
【００３７】
以上の説明から明らかなように、図４のステップＳ３は、請求項における第１の拡散手段駆動判定手段４ｂに対応し、ステップＳ５は、請求項におけるＬＰガス漏れ判定手段３ａに対応し、ステップＳ７は、請求項におけるＬＰガス漏れ警報手段８ａに対応し、ステップＳ１３は、請求項における不完全燃焼判定手段４ａに対応し、ステップＳ１５は、請求項における不完全燃焼警報手段８ｂに対応している。
【００３８】
このように、本発明の第１の実施形態によれば、現在市販されている普及率の高いＬＰガス漏れ警報器に、不完全燃焼検知機能と、不完全燃焼排ガスを床面まで拡散させるガス拡散用ファン９を設けることによって、床面付近に設置されたＬＰガス漏れ警報器において、不完全燃焼ガスを確実に検出することができ、不完全燃焼検知機能をスムーズに行わせることができる。また、ガス拡散用ファン９を常に駆動せず、微量な一酸化炭素ガスを検出した時に駆動開始するようにしたので、警報器の消費電力を軽減させると共にガス拡散用ファン９の寿命を長くすることができる。また、ＬＰガス警報判定濃度以上のＬＰガスが検出された場合は、ガス拡散用ファン９の駆動を停止するので、既にＬＰガス漏れ警報を行っていることおよび爆発する可能性のある雰囲気中で誘爆する可能性があることなどを考慮した安全性のある動作を行わせることができる。
【００３９】
（第２の実施形態）次に、本発明の第２の実施形態について説明する。この第２の実施形態では、上述の第１の実施形態に加えて、微量のＬＰガス漏れが検出された場合にも、ガス拡散用ファン９の駆動を開始させるように構成したものである。
【００４０】
以下、第２の実施形態に係る不完全燃焼検知機能付ガス漏れ警報器１の動作例を図５に示すフローチャートを参照しながら説明する。図５のフローチャートでは、図４のフローチャートにおけるステップＳ３とＳ１１の間に新たなステップＳ４を追加したことを特徴とする。
【００４１】
すなわち、ステップＳ３で、検出された一酸化炭素ガス濃度がファン駆動判定濃度以上になっていなければ、次いで、ＬＰガス検出回路３は、ＬＰガスセンサ５のセンサ出力に基づき検出されたＬＰガス濃度が、ＬＰガス警報判定濃度より低い値に設定され記憶回路７に記憶されているファン駆動判定濃度（拡散手段駆動用ＬＰガス判定濃度）以上になったか否かを判定する（ステップＳ４）。検出されたＬＰガス濃度が、ファン駆動判定濃度（拡散手段駆動用ＬＰガス判定濃度）以上になっていなければ、次いでステップＳ１に戻り待機状態となり、なっていれば、次いでステップＳ１１に進み、ガス拡散用ファン９の駆動を開始する。
【００４２】
以上の説明から明らかなように、図５のステップＳ４は、請求項における第２の拡散手段駆動判定手段３ｂに対応している。
【００４３】
このように、本発明の第２の実施形態によれば、ＬＰガスセンサ５のセンサ出力に基づき検出されたＬＰガス濃度が、ファン駆動判定濃度（拡散手段駆動用ＬＰガス判定濃度）以上になった場合にも、ガス拡散用ファン９の駆動が開始されるので、ガス漏れ警報器が、床面よりも規格上許される高い位置に設置された場合でも、漏れて床面近くに偏在するＬＰガスの拡散を促し、ＬＰガス漏れ検知機能をスムーズに行わせることができる。
【００４４】
以上の通り、本発明の実施形態について説明したが、本発明はこれに限らず、種々の変形、応用が可能である。
【００４５】
たとえば、上述の実施の形態では、ガス拡散用ファン９は、警報器の上方から下方へ吹き出す風によって室内の雰囲気中のガス拡散を行っているが、導入口１１ａを警報器ケースの下部に設けると共に導出口１１ｂを警報器上部に設けて、警報器下方から警報器上方へ吹き出す風を発生させるようにしても良い。
【００４６】
また、ガス拡散用ファン９のファン風が通る導入口と異なる位置に検知ガス導入口を設けても良い。
【００４７】
また、他の実施例として、ガスメータからのガス流量有りを表す流量判定信号を受信する受信手段をさらに備え、ガス拡散用ファン９は、受信手段で流量判定信号を受信した場合に駆動開始されるように構成しても良い。それにより、ガス拡散用ファン９は、普段は停止しており、燃焼機器が使用されている可能性が高い状況になると駆動開始されるので、警報器の消費電力を軽減させると共にガス拡散用ファン９の寿命を長くすることができる。
【図面の簡単な説明】
【００４８】
【図１】本発明の不完全燃焼検知機能付ガス漏れ警報器の基本構成を示す基本構成図である。
【図２】本発明の第１の実施形態に係る不完全燃焼検知機能付ガス漏れ警報器の構成を示すブロック図である。（第１の実施形態）
【図３】ガス拡散用ファンの取付例を説明する図であり、（ａ）は警報器の正面図、（ｂ）は底面図、（ｃ）は内部構造図である。
【図４】第１の実施形態に係る不完全燃焼検知機能付ガス漏れ警報器の動作例を示すフローチャートである。（第１の実施形態）
【図５】第２の実施形態に係る不完全燃焼検知機能付ガス漏れ警報器の動作例を示すフローチャートである。（第２の実施形態）
【符号の説明】
【００４９】
１    不完全燃焼検知機能付ガス漏れ警報器
３    ＬＰガス検出回路
３ａ  ＬＰガス漏れ判定手段
３ｂ  第２の拡散手段駆動判定手段
４    不完全燃焼ガス検出回路
４ａ  不完全燃焼判定手段
４ｂ  第１の拡散手段駆動判定手段
５    ＬＰガスセンサ
６    一酸化炭素センサ（不完全燃焼ガスセンサ）
７    記憶回路（記憶手段）
８    警報回路
８ａ  ＬＰガス漏れ警報手段
８ｂ  不完全燃焼警報手段
９  ガス拡散用ファン（ガス拡散手段）
【図１】
2008234161.tif 000003
【図２】
2008234161.tif 000004
【図３】
2008234161.tif 000005
【図４】
2008234161.tif 000006
【図５】
2008234161.tif 000007